【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
負荷が接続される一対の端子への電力の供給を制御する電力供給制御装置において、
前記一対の端子の電圧と所定の関係にある電圧を測定する電圧測定部と、
この電圧測定部の測定した電圧から、前記一対の端子間における短絡の存在を検出し、短絡の存在が検出されたときには、前記一対の端子への電力の供給を停止させる短絡検出部と、
定電流を前記一対の端子間に供給する定電流供給部と、
を備え、
前記短絡検出部は、前記定電流供給部が前記一対の端子間に前記定電流を供給している状態で、前記電圧測定部の測定した電圧が所定の閾値以上または所定の閾値を超えたときに、前記負荷の短絡が解消されたことを検出する
ことを特徴とする電力供給制御装置。
【請求項２】
請求項１記載の電力供給制御装置において、
前記電圧測定部は、前記一対の端子に前記負荷と並列に接続される少なくとも２つの抵抗部分からなる分圧回路の、少なくともひとつの抵抗部分により電圧を測定し、
前記定電流供給部は、前記分圧回路の他の抵抗部分に並列に接続されるダイオードであって、前記一対の端子へ供給される電力が逆バイアスで印加され、前記定電流に対して順バイアスとなるダイオードを介して、前記定電流を前記一対の端子間に供給する
ことを特徴とする電力供給制御装置。
【請求項３】
請求項１記載の電力供給制御装置において、
前記定電流供給部は、前記一対の端子へ供給される電力に対して逆バイアスとなり、前記定電流に対して順バイアスとなるダイオードを介して、前記定電流を前記一対の端子間に供給し、
前記電圧測定部は、前記定電流供給部と前記ダイオードとの接続点の電圧を測定する
ことを特徴とする電力供給制御装置。
【請求項４】
負荷が接続される一対の端子と、
前記一対の端子に電力を供給するバッテリと、
前記バッテリから前記負荷に供給される電力を接続または切断するスイッチと、
前記スイッチを選択的に制御し、前記一対の端子間に短絡の存在が検出されたときには前記スイッチを切断し、前記短絡が解消されたときには前記スイッチを接続する電力供給制御装置と、
を備え、
前記電力供給制御装置は、
前記一対の端子の電圧と所定の関係にある電圧を測定する電圧測定部と、
この電圧測定部の測定した電圧から、前記一対の端子間における短絡の存在を検出し、短絡の存在が検出されたときには、前記スイッチに、前記一対の端子への電力の供給を切断させる短絡検出部と、
定電流を前記一対の端子間に供給する定電流供給部と、
を有し、
前記短絡検出部は、前記定電流供給部が前記一対の端子間に前記定電流を供給している状態で、前記電圧測定部の測定した電圧が所定の閾値以上または所定の閾値を超えたときに、前記負荷の短絡が解消されたことを検出する
ことを特徴とする電源装置。
【請求項５】
請求項４記載の電源装置において、
少なくとも２つの抵抗部分からなる分圧回路が前記一対の端子に前記負荷と並列に接続され、
前記電圧測定部は、前記分圧回路の少なくともひとつの抵抗部分により電圧を測定し、
前記分圧回路の他の抵抗部分に並列に、前記一対の端子へ供給される電力が逆バイアスで印加されるダイオードが接続され、
前記定電流供給部は、前記ダイオードを順バイアスに通して、前記定電流を前記一対の端子間に供給する
ことを特徴とする電源装置。
【請求項６】
請求項５記載の電源装置において、
前記定電流供給部は、前記一対の端子へ供給される電力に対して逆バイアスとなり、前記定電流に対して順バイアスとなるダイオードを介して、前記定電流を前記一対の端子間に供給し、
前記電圧測定部は、前記定電流供給部と前記ダイオードとの接続点の電圧を測定する
ことを特徴とする電源装置。
【請求項７】
負荷が接続される一対の端子への電力の供給を制御する電力供給制御方法において、
前記一対の端子の電圧と所定の関係にある電圧を測定し、
測定した電圧から、前記一対の端子間における短絡の存在を検出し、
短絡の存在が検出されたときには、前記一対の端子への電力の供給を停止させ、
定電流を前記一対の端子間に供給し、
前記一対の端子間に前記定電流を供給している状態で、前記測定した電圧が所定の閾値以上または所定の閾値を超えたときに、前記負荷の短絡が解消されたことを検出する
ことを特徴とする電力供給制御方法。
【請求項８】
請求項７記載の電力供給制御方法において、
前記一対の端子の電圧と所定の関係にある電圧は、前記一対の端子に前記負荷と並列に接続される少なくとも２つの抵抗部分からなる分圧回路の、少なくともひとつの抵抗部分で測定され、
前記定電流は、前記分圧回路の他の抵抗部分に並列に接続される、前記一対の端子へ供給される電力が逆バイアスで印加され、前記定電流に対して順バイアスとなるダイオードを介して、前記一対の端子間に供給される
ことを特徴とする電力供給制御方法。
【請求項９】
請求項７記載の電力供給制御方法において、
前記定電流は、前記一対の端子へ供給される電力に対して逆バイアスとなり、前記定電流に対して順バイアスとなるダイオードを介して、前記一対の端子間に供給され、
前記一対の端子の電圧と所定の関係にある電圧は、前記定電流供給部と前記ダイオードとの接続点で測定される
ことを特徴とする電力供給制御方法。
【請求項１０】
情報処理装置にインストールすることにより、その情報処理装置に、請求項７記載の電源供給制御方法を実行させる
ことを特徴とするプログラム。
【手続補正２】
【補正対象書類名】明細書
【補正対象項目名】０００８
【補正方法】変更
【補正の内容】
【０００８】
本発明の第一の観点は、電源供給装置としての観点である。すなわち、本発明の電源供給制御装置は、負荷が接続される一対の端子への電力の供給を制御する電力供給制御装置において、一対の端子の電圧と所定の関係にある電圧を測定する電圧測定部と、この電圧測定部の測定した電圧から、一対の端子間における短絡の存在を検出し、短絡の存在が検出されたときには、一対の端子への電力の供給を停止させる短絡検出部と、定電流を一対の端子間に供給する定電流供給部と、を備え、短絡検出部は、定電流供給部が一対の端子間に定電流を供給している状態で、電圧測定部の測定した電圧が所定の閾値以上または所定の閾値を超えたときに、負荷の短絡が解消されたことを検出するものである。
【手続補正３】
【補正対象書類名】明細書
【補正対象項目名】０００９
【補正方法】変更
【補正の内容】
【０００９】
本発明の第二の観点は、電源装置としての観点である。すなわち、本発明の電源装置は、負荷が接続される一対の端子と、一対の端子に電力を供給するバッテリと、バッテリから負荷に供給される電力を接続または切断するスイッチと、スイッチを選択的に制御し、一対の端子間に短絡の存在が検出されたときにはスイッチを切断し、短絡が解消されたときにはスイッチを接続する電力供給制御装置と、を備え、電力供給制御装置は、一対の端子の電圧と所定の関係にある電圧を測定する電圧測定部と、この電圧測定部の測定した電圧から、一対の端子間における短絡の存在を検出し、短絡の存在が検出されたときには、スイッチに、一対の端子への電力の供給を切断させる短絡検出部と、定電流を一対の端子間に供給する定電流供給部と、を有し、短絡検出部は、定電流供給部が一対の端子間に前記定電流を供給している状態で、電圧測定部の測定した電圧が所定の閾値以上または所定の閾値を超えたときに、負荷の短絡が解消されたことを検出するものである。
【手続補正４】
【補正対象書類名】明細書
【補正対象項目名】００１０
【補正方法】変更
【補正の内容】
【００１０】
本発明の第三の観点は、電源供給制御方法としての観点である。すなわち、本発明の電源供給制御方法は、負荷が接続される一対の端子への電力の供給を制御する電力供給制御方法において、一対の端子の電圧と所定の関係にある電圧を測定し、測定した電圧から、一対の端子間における短絡の存在を検出し、短絡の存在が検出されたときには、一対の端子への電力の供給を停止させ、定電流を一対の端子間に供給し、一対の端子間に定電流を供給している状態で、測定した電圧が所定の閾値以上または所定の閾値を超えたときに、負荷の短絡が解消されたことを検出するものである。